(57)【要約】【課題】リムレス眼鏡本来の特徴を備え、幅広く、斬新で、上品なデザインを施すことが可能な装飾体を備えたリムレス眼鏡を提供する。【解決手段】リムレス眼鏡１の眼鏡レンズ２の裏面に、ブリッジ用止着孔２１の近傍から鎧用止着孔２２の近傍にわたる大きさの装飾体６、例えば、眼鏡レンズ２の外縁部に環状の装飾体６を施す。【選択図】図３
2006267581.tif 000002
【特許請求の範囲】
【請求項１】
ブリッジ、鎧及びテンプルを有するメタルフレームに左右の眼鏡レンズを取り付けたリムレス眼鏡において、前記眼鏡レンズが前記ブリッジを止着するためのブリッジ用止着孔と前記鎧を止着するための鎧用止着孔とを備えるとともに、その裏面に前記ブリッジ用止着孔の近傍から前記鎧用止着孔の近傍にわたる大きさの装飾体を備えていることを特徴とするリムレス眼鏡。
【請求項２】
前記装飾体が、前記眼鏡レンズの外縁部に環状に形成されていることを特徴とする請求項１に記載のリムレス眼鏡。
【請求項３】
前記装飾体が、前記眼鏡レンズの前記ブリッジ用止着孔及び鎧用止着孔に対応する位置に、それぞれ貫通孔を備えていることを特徴とする請求項１又は２に記載のリムレス眼鏡。
【請求項４】
前記装飾体が板状の素材で形成され、前記素材の一部を切り抜いて形成した装飾模様を備えていることを特徴とする請求項１乃至３の何れかに記載のリムレス眼鏡。
【請求項５】
前記装飾体が板状の素材で形成され、前記素材に色彩を施して形成した装飾模様を備えていることを特徴とする請求項１乃至４の何れかに記載のリムレス眼鏡。
【発明の詳細な説明】
【技術分野】
【０００１】
本発明はメタルフレームのリムレス眼鏡に関し、特に眼鏡レンズに比較的大きな装飾体を備えたリムレス眼鏡に関する。
【背景技術】
【０００２】
代表的なメタルフレームのリムレス眼鏡は、ツーポイント眼鏡またはナイロール眼鏡と呼ばれるものである。ツーポイント眼鏡は、左右の眼鏡レンズ間に架け渡されるブリッジと、それぞれの眼鏡レンズに結合される鎧と、鎧からヒンジを介して連結されるテンプルとからなっている。そして、眼鏡レンズには、ブリッジを止着するための止着孔と鎧を止着するための止着孔とが設けられて、これらの止着孔に雄ネジ又は雌ネジを通して螺合することにより、ブリッジ及び鎧が止着されている。
【０００３】
このようなリムレス眼鏡は着用者の視野が広くなるとともに、これを見る人に明るい感じや若々しい感じを与えるのが特徴である。しかしながら、逆にデザインの対象に乏しくアクセントも付け難いことから、個性的なお洒落をするためには物足りなさを感じるものである。
【０００４】
すなわち、リムレス眼鏡のデザインの対象はテンプル及び鎧に限られ、また、装飾体を付するにしても比較的小さな装飾体に限られる。さらに、レンズに飾りを付けるリムレス眼鏡も提案されているが（例えば、特許文献１参照）、これらは鎧用止着孔の近傍に付ける比較的小さな装飾体である。また、当然のことであるが、これらの装飾体はレンズの表面側に取り付けられている。
【０００５】
このような装飾体は、確かにアクセントを付けることはできるものの、平凡なものとなりやすく、デザインの幅を広げることや斬新なデザインを取り入れることなどは非常に困難となっている。
すなわち、従来のリムレス眼鏡には、デザインの幅が非常に狭く、個性的なデザインや斬新で上品なデザインを施すことができないという問題がある。
【特許文献１】実用新案登録第３０１４９８２号公報
【発明の開示】
【発明が解決しようとする課題】
【０００６】
解決しようとする問題点は、見る人に明るい感じや若々しい感じを与えるというリムレス眼鏡本来の特徴を備えるとともに、幅広く、斬新で、上品なデザインを施すことが可能であり、個性的なお洒落をすることができるリムレス眼鏡を提供することである。
【課題を解決するための手段】
【０００７】
上記の課題を解決するために、本発明の請求項１に係るリムレス眼鏡は、ブリッジ、鎧及びテンプルを有するメタルフレームに左右の眼鏡レンズを取り付けたリムレス眼鏡において、前記眼鏡レンズが前記ブリッジを止着するためのブリッジ用止着孔と前記鎧を止着するための鎧用止着孔とを備えるとともに、その裏面に前記ブリッジ用止着孔の近傍から前記鎧用止着孔の近傍にわたる大きさの装飾体を備えているという手段を採用している。
【０００８】
また、本発明の請求項２に係るリムレス眼鏡は、請求項１に記載のリムレス眼鏡において、前記装飾体が、前記眼鏡レンズの外縁部に環状に形成されているという手段を採用している。さらに、本発明の請求項３に係るリムレス眼鏡は、請求項１又は２に記載のリムレス眼鏡において、前記装飾体が、前記眼鏡レンズの前記ブリッジ用止着孔及び鎧用止着孔に対応する位置に、それぞれ貫通孔を備えているという手段を採用している。
【０００９】
また、本発明の請求項４に係るリムレス眼鏡は、請求項１乃至３の何れかに記載のリムレス眼鏡において、前記装飾体が板状の素材で形成され、前記素材の一部を切り抜いて形成した装飾模様を備えている手段を採用している。
さらに、本発明の請求項５に係るリムレス眼鏡は、請求項１乃至４の何れかに記載のリムレス眼鏡において、前記装飾体が板状の素材で形成され、前記素材に色彩を施して形成した装飾模様を備えているという手段を採用している。
【発明の効果】
【００１０】
本発明のリムレス眼鏡は、眼鏡レンズの裏面に比較的大きな装飾体を備えていることを特徴としている。装飾体が眼鏡レンズの裏面にあるために、比較的大きな装飾体であってもリムレス眼鏡本来の特徴を失わず、見る人に明るい感じや若々しい感じを与えることができる。すなわち、華美な装飾とならず、落ち着いた感じの上品なデザインとすることができる。また、比較的大きな装飾体であるために、デザインの幅を広げることや斬新なデザインを取り入れることが可能であり、個性的なお洒落をすることができる。
【発明を実施するための最良の形態】
【００１１】
以下、ツーポイント眼鏡について本発明の一実施例を図面に基づき説明する。
図１〜５に示すように本発明のリムレス眼鏡１は、ブリッジ３、鎧４、テンプル５などにより構成されるメタルフレームに眼鏡レンズ２を取り付けたツーポイントのリムレス眼鏡をベースとしている。そして、眼鏡レンズ２の裏面側に装飾体６を備えたことを特徴としている。
【００１２】
眼鏡レンズ２には、ブリッジ３を止着するためのブリッジ用止着孔２１と鎧４を止着するための鎧用止着孔２２が設けられている。図に示す実施例では、止着部分の回り止めとして、止着孔２１、２２に対してそれぞれ切り欠き２３、２４を一対に設けた構成としている。この他、切り欠きを設けないで、それぞれ複数の止着孔を設けることもできる。
【００１３】
左右の眼鏡レンズ２を連結するブリッジ３には、止着用のパイプナット３１、回り止め３２及びパッド３３が設けられている。そして、回り止め３２を切り欠き２３に係止させるとともに、パイプナット３１をブリッジ用止着孔２１に貫通させボルト７と螺合することにより、ブリッジ３を眼鏡レンズ２に止着することができる。この場合、パイプナット３１の代りにボルトを用い、ボルト７の代りにナットを用いて螺合することもできる。
【００１４】
鎧４には、止着用のパイプナット４１、回り止め４２及びヒンジ４３が設けられている。そして、ブリッジ３と同様に、回り止め４２を切り欠き２４に係止させるとともに、パイプナット４１を鎧用止着孔２２に貫通させボルト７と螺合することにより、鎧４を眼鏡レンズ２に止着することができる。また、テンプル５は、鎧４のヒンジ４３を介して折りたたみ可能に連結されている。この場合、パイプナット４１の代りにボルトを用い、ボルト７の代りにナットを用いて螺合することもできる。
【００１５】
本発明のリムレス眼鏡１は、眼鏡レンズ２の裏面側に装飾体６を備えており、この装飾体６がブリッジ用止着孔２１の近傍から鎧用止着孔２２の近傍にわたる大きさであることを特徴としている。すなわち、装飾体６の大きさは、ブリッジ用止着孔２１から鎧用止着孔２２まで連続している大きさである。そして、図の実施例に示すように、眼鏡レンズ２の外縁部に環状に形成することを基本とし、環状の一部（例えば、上部又は下部）を切り欠いた形状をも含むものである。
【００１６】
この装飾体６は、ブリッジ用止着孔２１と鎧用止着孔２２の両方の部分において、眼鏡レンズ２に止着されていることが好ましい。すなわち、図に示すように、眼鏡レンズ２の止着孔２１、２２に対応する位置に、同様の貫通孔６１、６２を設ける。また、必要に応じて、切り欠き２３、２４に対応する位置に、切り欠き６３、６４を設ける。そして、パイプナット３１、４１を眼鏡レンズ２の止着孔２１、２２及び装飾体６の貫通孔６１、６２に貫通させてボルト７と螺合することにより、眼鏡レンズ２の裏面に一体化した装飾体６を形成することができる。
【００１７】
装飾体６の貫通孔６１、６２は、眼鏡レンズ２の止着孔２１、２２よりも多少大きな孔とすることが好ましく、円形の止着孔２１、２２に対して楕円状とすることが好ましい。これにより、眼鏡レンズ２の曲線に応じた最適な状態に組み立てることが容易になる。また、眼鏡レンズ２を交換する場合にも、特別な調整をすることなく容易に行うことができる。
【００１８】
以上、本発明の具体例をツーポイント眼鏡の場合について説明したが、ナイロール眼鏡の場合も同様にして、本発明の特徴を発揮することができる。本発明の装飾体６の形状は、立体的な形状であってもよいが、その特徴を十分に発揮するためには平面的な形状とすることが好ましい。すなわち、板状の金属や樹脂などの素材を用いることが好ましい。
【００１９】
本発明のリムレス眼鏡１は、比較的大きな装飾体６を眼鏡レンズ２の外縁部に形成することを特徴としている。そこで、リムレス眼鏡にこのような装飾体６を施すことは、枠付き眼鏡の装飾と同様となり、特別な効果は得られないのではないか、と疑われるかもしれない。また、見る人に明るい感じや若々しい感じを与えるという、リムレス眼鏡が本来有する特徴が、装飾体６によって損なわれるのではないか、と疑われるかもしれない。
【００２０】
装飾体６を眼鏡レンズ２の表側に設けた場合には、確かに、間違いなく、特別な効果は得られず、本来の特徴も失われる。
しかしながら、装飾体６を眼鏡レンズ２の裏面側に設けた場合には、枠付き眼鏡の場合と比べて、全く違った感じの眼鏡となる。すなわち、非常に斬新であり、しかも落ち着いた感じのイメージを与えるデザインが可能となるのである。
【００２１】
これは、眼鏡レンズ２を介して装飾体６を見ることにより、装飾体６の形状、模様、色彩などが曖昧となり、柔らかいイメージや落ち着いたイメージを与えるためである。そして、通常では派手と思われるデザインでも、落ち着いたデザインとなるためである。このことは、本発明を実施することにより確実に認識することができる。
【００２２】
装飾体６に施すデザインとしては、通常の装飾体と同様に、形状、模様、色彩などを工夫して形成する。板状の素材を用いる場合には、素材の一部を切り抜くことにより装飾模様を形成することもできる。また、色彩については、通常では派手な色彩も落ち着いた感じとなるので、非常に幅広い多彩なデザインを行うことができる。
【図面の簡単な説明】
【００２３】
【図１】本発明のリムレス眼鏡の一例を示す概略全体斜視図であり、眼鏡レンズの表面側から見た場合を示す。
【図２】本発明のリムレス眼鏡の一例を示す概略全体斜視図であり、眼鏡レンズの裏面側から見た場合を示す。
【図３】本発明のリムレス眼鏡の一例を示す概略全体分解斜視図である。
【図４】ブリッジ取り付け部分についての概略部分拡大図である。
【図５】鎧取り付け部分についての概略部分拡大図である。
【符号の説明】
【００２４】
１      リムレス眼鏡
２      眼鏡レンズ
２１    ブリッジ用止着孔
２２    鎧用止着孔
２３、２４    切り欠き
３      ブリッジ
３１    パイプナット
３２    回り止め
３３    パッド
４      鎧
４１    パイプナット
４２    回り止め
４３    ヒンジ
５      テンプル
６      装飾体
６１、６２    貫通孔
６３、６４    切り欠き
７      ボルト
【図１】
2006267581.tif 000003
【図２】
2006267581.tif 000004
【図３】
2006267581.tif 000005
【図４】
2006267581.tif 000006
【図５】
2006267581.tif 000007